(57)【特許請求の範囲】
【請求項１】
所定の回転軸を中心に光源が回動することにより照射方向を変更可能に構成されている照明装置であって、
前記光源が取り付けられる基部から板状に立設され、所定の方向に並べて設けられる複数の放熱フィンと、
前記複数の放熱フィンの対向する対向面の各々に連続し、前記放熱フィンの立設方向の一部に設けられ、前記放熱フィンの第１の面に、前記放熱フィンの立設方向に対して第１の方向に傾斜して設けられる第１リブ群と、前記放熱フィンの第２の面に、前記放熱フィンの立設方向に対して前記第１の方向とは反対向きの第２の方向に傾斜して設けられる第２リブ群とを含むリブと、
を備える放熱部材を備え、
前記光源は、前記放熱部材に取り付けられる照明装置。
【請求項２】
前記第１の方向が前記放熱フィンの幅方向の中央を通る前記立設方向に沿う仮想線に対して、右側に４５度だけ傾斜する方向である場合、前記第２の方向は、当該仮想線に対して、左側に４５度だけ傾斜する方向である、請求項１に記載の照明装置。
【請求項３】
前記第１リブ群は、前記放熱フィンの立設方向に離間して前記放熱フィンの第１の面に複数設けられ、前記第２リブ群は、前記放熱フィンの立設方向に離間して前記放熱フィンの第２の面に複数設けられる請求項１または請求項２に記載の照明装置。
【請求項４】
前記第１リブ群に含まれる複数のリブは、前記放熱フィンの立設方向に対して傾斜する向きを揃えて設けられ、前記第２リブ群に含まれる複数のリブは、前記放熱フィンの立設方向に対して傾斜する向きを揃えて設けられる請求項３に記載の照明装置。
【請求項５】
前記第１リブ群と前記第２リブ群とは同数である請求項１または請求項２に記載の照明装置。
【請求項６】
前記第１リブ群に含まれる複数のリブと、前記第２リブ群に含まれる複数のリブとは、前記放熱フィンの立設方向に沿う中心線であって、前記所定の方向の両端の放熱フィン間の中央及び前記放熱フィンの幅方向の中央を通る中心線に対して線対称に設けられる請求項１〜５のいずれか１項に記載の照明装置。
【請求項７】
前記複数の放熱フィンは、奇数設けられる請求項１〜６のいずれか１項に記載の照明装置。
【請求項８】
前記放熱部材は、前記基部の一面の中央部に設けられ、前記光源が載置される載置部をさらに備え、
前記第１リブ群および前記第２リブ群の左右方向の中心部は、前記放熱フィンの幅方向の中心部と前記放熱フィンの幅方向における位置が重なる請求項１に記載の照明装置。
【発明の詳細な説明】
【技術分野】
【０００１】
本発明は、照明装置に関する。
【背景技術】
【０００２】
従来から、スポットライト等の照射方向を任意の向きに変更可能な照明装置が提供されている。このような照明装置は、光源等が発する熱を効率的に放熱するために放熱部材を有する。例えば、照明装置の放熱部材には、板状に形成された複数の放熱フィンを有する放熱部材が用いられる。このような放熱部材においては、例えば、複数の放熱フィンが所定の方向に並べて設けられる。
【０００３】
従来の照明装置（例えば図１０参照）においては、複数の放熱フィンが一方向に並べて設けられた放熱部材に、放熱フィンの強度を保つために各放熱フィン間を連結するリブが設けられる場合がある。例えば、このような照明装置においては、放熱フィンの幅方向の中央部を連結するように、放熱フィンの立設方向の全体に亘ってリブが形成される。
【先行技術文献】
【特許文献】
【０００４】
【特許文献１】特開２０１４−０４９３４７号公報
【発明の概要】
【発明が解決しようとする課題】
【０００５】
そのため、従来の照明装置においては、例えば照明装置の向きが水平方向になった場合、リブが水平方向に沿って位置するため、放熱効率の低下を抑制することが難しい。このように、上記の従来技術では、例えば、照射方向を任意の向きに変更可能な照明装置において、放熱部材による放熱が向きの変動の影響を受けにくくすることが難しい。
【０００６】
本発明は、上記に鑑みてなされたものであって、向きの変動による放熱への影響を抑制することができる放熱部材及び照明装置を提供することを目的とする。
【課題を解決するための手段】
【０００７】
上述した課題を解決し、目的を達成するために、本発明の一態様に係る照明装置は、所定の回転軸を中心に光源が回動することにより照射方向を変更可能に構成される。照明装置は、前記光源が取り付けられる基部から板状に立設され、所定の方向に並べて設けられる複数の放熱フィンと、前記複数の放熱フィンの対向する対向面の各々に連続し、前記放熱フィンの立設方向の一部に設けられ、前記放熱フィンの第１の面に、前記放熱フィンの立設方向に対して第１の方向に傾斜して設けられる第１リブ群と、前記放熱フィンの第２の面に、前記放熱フィンの立設方向に対して前記第１の方向とは反対向きの第２の方向に傾斜して設けられる第２リブ群とを含むリブと、を備える放熱部材を備える。前記光源は、前記放熱部材に取り付けられる。
【発明の効果】
【０００８】
本発明の一態様によれば、向きの変動による放熱への影響を抑制することができる。
【図面の簡単な説明】
【０００９】
【図１】図１は、実施形態に係る照明装置を示す斜視図（透視図）である。
【図２】図２は、実施形態に係る照明装置を示す斜視図である。
【図３】図３は、実施形態に係る照明装置を示す斜視図である。
【図４】図４は、実施形態に係る照明装置を示す平面図である。
【図５】図５は、実施形態に係る照明装置を示す側面図である。
【図６】図６は、実施形態に係る照明装置の向きと第１リブとの関係を示す図である。
【図７】図７は、実施形態に係る照明装置の向きと第２リブとの関係を示す図である。
【図８】図８は、実施形態と従来例の比較を示す図である。
【図９】図９は、実施形態に係る放熱部材を用いた他の照明装置を示す斜視図である。
【図１０】図１０は、従来例に係る照明装置を示す斜視図である。
【図１１】図１１は、従来例に係る照明装置を示す斜視図である。
【図１２】図１２は、従来例に係る照明装置を示す平面図である。
【図１３】図１３は、従来例に係る照明装置を示す側面図である。
【図１４】図１４は、従来例に係る照明装置の向きと中央リブとの関係を示す図である。
【発明を実施するための形態】
【００１０】
以下、実施形態に係る放熱部材を有する照明装置について図面を参照して説明する。なお、以下に説明する実施形態により放熱部材３０の用途が限定されるものではない。また、図面は模式的なものであり、各要素の寸法の関係、各要素の比率などは、現実と異なる場合があることに留意する必要がある。図面の相互間においても、互いの寸法の関係や比率が異なる部分が含まれている場合がある。
【００１１】
（実施形態）
まず、図１〜図５を用いて、照明装置１の構成の概要を説明する。図１は、実施形態に係る照明装置を示す斜視図（透視図）である。具体的には、図１は、照明装置１の光源１０や基板１１を除いた透視図である。図２及び図３は、実施形態に係る照明装置を示す斜視図である。具体的には、図２は、放熱部材３０が立設される側の照明装置１の構成を示す斜視図である。また、図３は、光源１０が配置される側の照明装置１の構成を示す斜視図である。また、図４は、実施形態に係る照明装置を示す平面図である。また、図５は、実施形態に係る照明装置を示す側面図である。以下では、図４中の放熱フィン３１の左右方向を幅方向とし、放熱フィン３１の上下方向を厚み方向とする。また、図５中の放熱フィン３１の上下方向を立設方向（高さ方向）とする。すなわち、図１〜図５に示す例においては、Ｘ軸方向を放熱フィン３１の幅方向とし、Ｙ軸方向を放熱フィン３１の立設方向とし、Ｚ軸方向を放熱フィン３１の厚み方向とする。
【００１２】
照明装置１は、光源１０と、平板状の基部２０と、放熱部材３０とを有する。光源１０は、例えばＬＥＤ（Light  Emitting  Diode）等の所定の光源が用いられる。また、光源１０は矩形板状の基板１１上に設けられ、基板１１が基部２０の一面２１の中央部に設けられた円板状の載置部１２に配置される。なお、照明装置１は、光源１０の種類によっては、基板１１を有さず、光源１０が載置部１２に直接載置されてもよい。
【００１３】
例えば、基部２０は、矩形板状に形成される。また、照明装置１においては、基部２０と放熱部材３０とは一体に形成されてもよい。この場合、基部２０は、放熱フィン３１と同じ材料により形成され、例えばアルミニウムや銅等の熱伝導性の高い材料により形成される。なお、基部２０は、所望の熱伝導率を有していれば、どのような材料が用いられてもよい。基部２０のサイズは、取り付けられる光源１０等に応じて適宜設定されてもよい。例えば、基部２０は、長手方向（Ｘ軸方向）の長さが１００ｍｍであり、短手方向（Ｚ軸方向）の長さが５０ｍｍであってもよい。
【００１４】
放熱部材３０は、所定の方向に並ぶ複数（７枚）の放熱フィン３１−１〜３１−７を有する。なお、放熱フィン３１−１〜３１−７を区別しない場合、放熱フィン３１と記載する。放熱フィン３１は、例えばアルミニウムや銅等の熱伝導性の高い材料により形成される。なお、放熱フィン３１は、所望の熱伝導率を有していれば、どのような材料が用いられてもよい。
【００１５】
また、放熱フィン３１は、基部２０の一面２１の反対面２２から立設される。例えば、放熱フィン３１は、放熱フィン３１の厚み方向（Ｚ軸方向）に沿って並べて基部２０の反対面２２から立設される。
【００１６】
なお、放熱フィン３１の厚みは、高さ（立設方向の長さ）や幅（幅方向の長さ）等に応じて適宜設定されてもよい。例えば、放熱フィン３１の厚みは、２ｍｍであってもよい。また、放熱フィン３１の高さは、適宜設定されてもよく、例えば１３０ｍｍであってもよい。また、放熱フィン３１は、放熱フィン３１のサイズ等に応じて適宜設定される距離だけ放熱フィン３１間を離間させて並ぶ。例えば、放熱フィン３１は、放熱フィン３１間を６ｍｍだけ離間させて並ぶ。すなわち、放熱フィン３１は、６．２ｍｍ間隔で放熱フィン３１の厚み方向に沿って並ぶ。また、照明装置１は、放熱フィン３１の幅方向（Ｘ軸方向）の中央を通り、放熱フィン３１の厚み方向（Ｚ軸方向）に沿う軸を中心として回動するものとする。例えば、照明装置１は、基部２０が図９に示すようなアーム部材２２０等の所定の回動機構を有する取付機構２３０により、天井や壁面に取り付けられる。
【００１７】
放熱部材３０は、複数の放熱フィン３１の対向する対向面の各々に連続し、放熱フィン３１の立設方向（Ｙ軸方向）の一部に設けられる複数のリブ３２ａ−１１〜３２ａ−３４、３２ｂ−１１〜３２ｂ−３４を有する。なお、詳細は後述するが、リブ３２ａ−１１〜３２ａ−３４、３２ｂ−１１〜３２ｂ−３４は、放熱フィン３１の立設方向（Ｙ軸方向）に対する傾斜の向きに応じて、第１リブ３２ａ１１−３２ａ３４と第２リブ３２ｂ−１１〜３２ｂ−３４とに分けられる。以下では、第１リブ３２ａ−１１〜３２ａ−３４を区別しない場合、第１リブ３２ａとし、第２リブ３２ｂ−１１〜３２ｂ−３４を区別しない場合、第２リブ３２ｂとする。また、第１リブ３２ａと第２リブ３２ｂとを区別しない場合、単にリブ３２と記載する場合がある。例えば、リブ３２は、四角柱状（矩形棒状）に形成される。なお、リブ３２のサイズは、放熱フィン３１のサイズや放熱フィン３１間の間隔等に応じて適宜設定されてもよい。例えば、リブ３２の長さは、２８ｍｍであってもよい。
【００１８】
ここから、第１リブ３２ａと第２リブ３２ｂとの各々について説明する。まず、放熱フィン３１−１と放熱フィン３１−２との間に設けられる第１リブ３２ａに基づいて、第１リブ３２ａについて説明する。
【００１９】
例えば、図１や図５に示すように、放熱フィン３１−１と放熱フィン３１−２との間には、４つの第１リブ３２ａ−１１〜３２ａ−１４が設けられる。なお、第１リブ３２ａ１１〜３２ａ−１４を区別しない場合、第１リブ３２ａ−１とする。例えば、放熱部材３０は、放熱フィン３１−１において放熱フィン３１−２と対向する対向面３１−１１と、放熱フィン３１−２において放熱フィン３１−１と対向する対向面３１−２１との間に、４つの第１リブ３２ａ−１を有する。図１に示す例では、放熱フィン３１−１の対向面３１−１１と、放熱フィン３１−２の対向面３１−２１との間には、基部２０の反対面２２側から第１リブ３２ａ−１１〜３２ａ−１４の順に設けられる。
【００２０】
ここで、第１リブ３２ａ−１は、放熱フィン３１の立設方向に対して傾斜して設けられる。図４中においては、第１リブ３２ａ−１は、左側に位置する端部から右側に位置する端部へ向かうにつれて基部２０の反対面２２から距離を広げるように傾斜して設けられる。図４中においては、第１リブ３２ａ−１の左右方向の中心部は、放熱フィン３１の幅方向の中心部と、放熱フィン３１の幅方向における位置が重なる。第１リブ３２ａが傾斜する方向を第１の方向とする場合がある。このように、一対の対向面３１−１１、３１−２１間の複数のリブ３２（第１リブ３２ａ）は、放熱フィン３１の立設方向に対して傾斜する向きを揃えて設けられる。
【００２１】
また、放熱フィン３１−３と放熱フィン３１−４との間には、４つの第１リブ３２ａ−２１〜３２ａ−２４が設けられる。なお、第１リブ３２ａ２１〜３２ａ２４を区別しない場合、第１リブ３２ａ−２とする。例えば、放熱部材３０は、放熱フィン３１−３において放熱フィン３１−４と対向する対向面と、放熱フィン３１−４において放熱フィン３１−３と対向する対向面との間に、４つの第１リブ３２ａ−２を有する。また、第１リブ３２ａ−２は、放熱フィン３１の立設方向に対して第１の方向に傾斜して設けられる。
【００２２】
また、放熱フィン３１−５と放熱フィン３１−６との間には、４つの第１リブ３２ａ−３１〜３２ａ−３４が設けられる。なお、第１リブ３２ａ−３１〜３２ａ−３４を区別しない場合、第１リブ３２ａ−３とする。例えば、放熱部材３０は、放熱フィン３１−５において放熱フィン３１−６と対向する対向面と、放熱フィン３１−６において放熱フィン３１−５と対向する対向面との間に、４つの第１リブ３２ａ−３を有する。また、第１リブ３２ａ−３は、放熱フィン３１の立設方向に対して第１の方向に傾斜して設けられる。
【００２３】
このように、第１リブ３２ａは、放熱フィン３１の立設方向に離間して複数設けられる。例えば、図５に示すように、第１リブ３２ａ−１１と第１リブ３２ａ−１２との間には、放熱フィン３１の立設方向に所定の間隔が開けられる。また、第１リブ３２ａ−１２と第１リブ３２ａ−１３との間には、放熱フィン３１の立設方向に所定の間隔が開けられる。また、第１リブ３２ａ−１３と第１リブ３２ａ−１４との間には、放熱フィン３１の立設方向に所定の間隔が開けられる。このように、放熱フィン３１の各対向面間に設けられる第１リブ３２ａ間に立設方向に所定の間隔が開けられることにより、例えば、放熱部材３０の製造が容易になる。
【００２４】
次に、放熱フィン３１−２と放熱フィン３１−３との間に設けられる第２リブ３２ｂに基づいて、第２リブ３２ｂについて説明する。
【００２５】
例えば、図１や図５に示すように、放熱フィン３１−２と放熱フィン３１−３との間には、４つの第２リブ３２ｂ−１１〜３２ｂ−１４が設けられる。なお、第２リブ３２ｂ−１１〜３２ｂ−１４を区別しない場合、第２リブ３２ｂ−１とする。例えば、放熱部材３０は、放熱フィン３１−２において放熱フィン３１−３と対向する対向面３１−２２と、放熱フィン３１−３において放熱フィン３１−２と対向する対向面３１−３１との間に、４つの第２リブ３２ｂ−１を有する。図１に示す例では、放熱フィン３１−２の対向面３１−２２と、放熱フィン３１−３の対向面３１−３１との間には、基部２０の反対面２２側から第２リブ３２ｂ−１１〜３２ｂ−１４の順に設けられる。
【００２６】
ここで、第２リブ３２ｂ−１は、放熱フィン３１の立設方向に対して傾斜して設けられる。図４中においては、第２リブ３２ｂ−１は、右側に位置する端部から左側に位置する端部へ向かうにつれて基部２０の反対面２２から距離を広げるように傾斜して設けられる。図４中においては、第２リブ３２ｂ−１の左右方向の中心部は、放熱フィン３１の幅方向の中心部と、放熱フィン３１の幅方向における位置が重なる。第２リブ３２ｂが傾斜する方向を第２の方向とする場合がある。このように、一対の対向面３１−２２、３１−３１間の複数のリブ３２（第２リブ３２ｂ）は、放熱フィン３１の立設方向に対して傾斜する向きを揃えて設けられる。
【００２７】
また、放熱フィン３１−４と放熱フィン３１−５との間には、４つの第２リブ３２ｂ−２１〜３２ｂ−２４が設けられる。なお、第２リブ３２ｂ−２１〜３２ｂ−２４を区別しない場合、第２リブ３２ｂ−２とする。例えば、放熱部材３０は、放熱フィン３１−４において放熱フィン３１−５と対向する対向面と、放熱フィン３１−５において放熱フィン３１−４と対向する対向面との間に、４つの第２リブ３２ｂ−２を有する。また、第２リブ３２ｂ−２は、放熱フィン３１の立設方向に対して第２の方向に傾斜して設けられる。
【００２８】
また、放熱フィン３１−６と放熱フィン３１−７との間には、４つの第２リブ３２ｂ−３１〜３２ｂ−３４が設けられる。なお、第２リブ３２ｂ−３１〜３２ｂ−３４を区別しない場合、第２リブ３２ｂ−３とする。例えば、放熱部材３０は、放熱フィン３１−６において放熱フィン３１−７と対向する対向面と、放熱フィン３１−７において放熱フィン３１−６と対向する対向面との間に、４つの第２リブ３２ｂ−３を有する。また、第２リブ３２ｂ−３は、放熱フィン３１の立設方向に対して第２の方向に傾斜して設けられる。
【００２９】
このように、第２リブ３２ｂは、放熱フィン３１の立設方向に離間して複数設けられる。例えば、図５に示すように、第２リブ３２ｂ−１１と第２リブ３２ｂ−１２との間には、放熱フィン３１の立設方向に所定の間隔が開けられる。また、第２リブ３２ｂ−１２と第２リブ３２ｂ−１３との間には、放熱フィン３１の立設方向に所定の間隔が開けられる。また、第２リブ３２ｂ−１３と第２リブ３２ｂ−１４との間には、放熱フィン３１の立設方向に所定の間隔が開けられる。このように、放熱フィン３１の各対向面間に設けられる第２リブ３２ｂ間に立設方向に所定の間隔が開けられることにより、例えば、放熱部材３０の製造が容易になる。
【００３０】
また、図１に示すように、第２の方向は、第１の方向とは反対の向きに傾斜する。すなわち、放熱フィン３１の対向面の各々に設けられるリブ３２は、放熱フィン３１の立設方向に対して第１の方向に傾斜して設けられる第１リブ３２ａ群と、放熱フィン３１の立設方向に対して第１の方向とは反対向きの第２の方向に傾斜して設けられる第２リブ３２ｂ群とを含む。
【００３１】
例えば、第１の方向が、放熱フィン３１の平面視において、放熱フィン３１の幅方向の中央を通る立設方向に沿う仮想線に対して、一方に所定の角度（以下、「傾斜角度」ともいう）だけ傾斜する場合、第２の方向は、その仮想線に対して、他方に所定の角度（傾斜角度）だけ傾斜する。具体的には、第１の方向が、放熱フィン３１の平面視において、放熱フィン３１の幅方向の中央を通る立設方向に沿う仮想線に対して、右側に４５°だけ傾斜する場合、第２の方向は、その仮想線に対して、左側に４５°だけ傾斜する。なお、傾斜角度は、４５°に限らず、例えば３０°等、様々な角度に設定されてもよい。例えば、傾斜角度は、０°より大きく９０°未満の範囲内において適宜設定されてもよい。
【００３２】
上述した例においては、複数の放熱フィン３１は、奇数設けられる。放熱部材３０は、７枚の放熱フィン３１−１〜３１−７を有する。これにより、放熱フィン３１における対向面の組み合わせが６つとなる。そのため、放熱フィン３１−１〜３１−７の間には、３つの群の第１リブ３２ａ−１、３２ａ−２、３２ａ−３と、３つの群の第２リブ３２ｂ−１、３２ｂ−２、３２ｂ−３とが設けられる。例えば、各第１リブ３２ａ−１、３２ａ−２、３２ａ−３は、各々４つのリブ３２を含むため、第１リブ３２ａは、１２個設けられる。また、例えば、各第２リブ３２ｂ−１、３２ｂ−２、３２ｂ−３は、各々４つのリブ３２を含むため、第２リブ３２ｂは、１２個設けられる。すなわち、放熱フィン３１を奇数枚設けることにより、第１リブ３２ａ群と第２リブ３２ｂ群とは同数になる。
【００３３】
これにより、照明装置１の傾く向き（水平方向のいずれ側に向くか）によらず、放熱効果の低下を抑制することができる。この点について、図６及び図７を用いて説明する。図６は、実施形態に係る照明装置の向きと第１リブとの関係を示す図である。図７は、実施形態に係る照明装置の向きと第２リブとの関係を示す図である。図６及び図７を用いて、照明装置１の向きを変更した場合における放熱の状態を説明する。
【００３４】
図６は、照明装置１の向きと第１リブ３２ａとの関係を示す図である。図６に示す照明装置１−１１〜１−１３は、照射方向の向き毎の照明装置１を示す。なお、照明装置１−１１〜１−１３を区別しない場合、照明装置１と記載する。図６に示す照明装置１は、図５におけるＡ−Ａ断面を平面視した場合を示す。具体的には、図６に示す照明装置１は、放熱フィン３１−２において、放熱フィン３１−１に対向する対向面３１−２１を平面視した場合を示す。
【００３５】
例えば、照明装置１−１１は、照射方向が下向き（直下方向）である場合を示す。以下では、図６の照明装置１−１１における基部２０の一面２１が臨む向きを下とし、照明装置１−１１における基部２０の反対面２２が臨む向きを上とする。また、照明装置１−１２は、照射方向が下向きから４５°傾斜した向き（斜め方向）である場合を示す。また、照明装置１−１３は、照射方向が横向き（水平方向）、具体的には左向きである場合を示す。照明装置１は、照明装置１−１１〜照明装置１−１３における位置を自由に回動可能である。
【００３６】
図６に示す照明装置１の放熱部材３０に重なる点線は、放熱部材３０における空気の流れを示す。図６に示す点線は、放熱部材３０における熱によって暖められた空気が流れる状態を仮想的に示すものである。
【００３７】
例えば、照明装置１−１１においては、光源１０から基部２０へ伝達された熱は、基部２０から離れる上向き、すなわち放熱部材３０の立設方向へ上昇する。例えば、照明装置１−１１においては、光源１０から基部２０へ伝達された熱によって暖められた空気は、第１リブ３２ａの傾斜に沿って、基部２０から離れる上向き、すなわち放熱部材３０の立設方向へ上昇する。例えば、照明装置１−１３においては、光源１０から基部２０へ伝達された熱は、上方へ上昇する。例えば、照明装置１−１３においては、光源１０から基部２０へ伝達された熱によって暖められた空気は、第１リブ３２ａの傾斜に沿って、基部２０から離れる向き、すなわち上方へ上昇する。
【００３８】
また、例えば、照明装置１−１２の第１リブ３２ａより上側に位置する部分においては、光源１０から基部２０へ伝達された熱によって暖められた空気は、基部２０から離れる向き、すなわち上方へ上昇する。また、例えば、照明装置１−１２の第１リブ３２ａより下側に位置する部分においては、上側に第１リブ３２ａが幅方向を水平方向に沿わせて位置するため、光源１０から基部２０へ伝達された熱によって暖められた空気は、第１リブ３２ａにより影響を受けるが、第１リブ３２ａ間に間隔が開けられているため、第１リブ３２ａ間を通って、基部２０から離れる向き、すなわち上方へ上昇する。すなわち、各対向面間の第１リブ３２ａ−１〜３２ａ−３が、放熱フィン３１の立設方向の全体に亘って設けられず、一部に設けられるため、第１リブ３２ａが幅方向を水平方向に沿わせて位置する場合、すなわち第１リブ３２ａが熱によって暖められた空気の上昇方向と交差する位置にあっても、第１リブ３２ａ間を通って、基部２０から離れる向き、すなわち上方へ上昇する。このように、照明装置１−１２においては、他の照射方向の向きに対応する照明装置１−１１、１−１３よりも放熱効率が低下するものの、従来例の照明装置１００−３のように、中央リブ１３２が放熱フィン１３１の立設方向の全体に亘って形成される場合よりも、熱によって暖められた空気が上方へ抜けやすいため、向きの変動による放熱への影響を抑制することができる。
【００３９】
図７は、照明装置１の向きと第２リブ３２ｂとの関係を示す図である。図７に示す照明装置１−２１〜１−２３は、照射方向の向き毎の照明装置１を示す。なお、照明装置１−２１〜１−２３を区別しない場合、照明装置１と記載する。図７に示す照明装置１は、図５におけるＢ−Ｂ断面を平面視した場合を示す。具体的には、図７に示す照明装置１は、放熱フィン３１−３において、放熱フィン３１−２に対向する対向面３１−３１を平面視した場合を示す。なお、照明装置１−２１の照射方向の向きは、図６中の照明装置１−１１の照射方向の向きに対応する。また、照明装置１−２２の照射方向の向きは、図６中の照明装置１−１２の照射方向の向きに対応し、照明装置１−２３の照射方向の向きは、図６中の照明装置１−１３の照射方向の向きに対応する。
【００４０】
例えば、照明装置１−２１は、照射方向が下向き（直下方向）である場合を示す。以下では、図７の照明装置１−２１における基部２０の一面２１が臨む向きを下とし、照明装置１−２１における基部２０の反対面２２が臨む向きを上とする。また、照明装置１−２２は、照射方向が下向きから４５°傾斜した向き（斜め方向）である場合を示す。また、照明装置１−２３は、照射方向が横向き（水平方向）、具体的には左向きである場合を示す。
【００４１】
図７に示す照明装置１の放熱部材３０に重なる点線は、放熱部材３０における空気の流れを示す。図７に示す点線は、放熱部材３０における熱によって暖められた空気が流れる状態を仮想的に示すものである。
【００４２】
例えば、照明装置１−２１においては、光源１０から基部２０へ伝達された熱は、基部２０から離れる上向き、すなわち放熱部材３０の立設方向へ上昇する。例えば、照明装置１−２１においては、光源１０から基部２０へ伝達された熱によって暖められた空気は、第２リブ３２ｂの傾斜に沿って、基部２０から離れる上向き、すなわち放熱部材３０の立設方向へ上昇する。例えば、照明装置１−２３においては、光源１０から基部２０へ伝達された熱は、上方へ上昇する。例えば、照明装置１−２３においては、光源１０から基部２０へ伝達された熱によって暖められた空気は、第２リブ３２ｂの傾斜に沿って、基部２０から離れる向き、すなわち上方へ上昇する。
【００４３】
また、例えば、照明装置１−２２の第２リブ３２ｂより上側に位置する部分においては、光源１０から基部２０へ伝達された熱によって暖められた空気は、基部２０から離れる向き、すなわち上方へ上昇する。また、例えば、照明装置１−２２の第２リブ３２ｂより下側に位置する部分においては、上側に第２リブ３２ｂが幅方向を上下方向に沿わせて位置するため、光源１０から基部２０へ伝達された熱によって暖められた空気は、第２リブ３２ｂの影響をほぼ受けずに、第２リブ３２ｂ間を通って、基部２０から離れる向き、すなわち上方へ上昇する。すなわち、第２リブ３２ｂの幅方向が熱の上昇方向に沿って位置するため、効率的に熱によって暖められた空気が第２リブ３２ｂ間を通って、基部２０から離れる向き、すなわち上方へ上昇する。このように、照明装置１−２２においては、他の照射方向の向きに対応する照明装置１−２１、１−２３よりも放熱効率がさらに向上する。
【００４４】
ここで、図１０〜１４に示す従来例に係る照明装置１００を用いて、従来の放熱部材の構成例を示す。照明装置１００は、光源１１０と、平板状の基部１２０と、放熱部材１３０とを有する。光源１１０は、例えばＬＥＤ等が用いられる。また、光源１１０は基板１１１上に設けられ、基板１１１が基部１２０の一面１２１に設けられた載置部１１２に配置される。
【００４５】
また、照明装置１００においては、所定の方向に並ぶ複数（７枚）の放熱フィン１３１−１〜１３１−７を有する放熱部材１３０が用いられる。なお、放熱フィン１３１−１〜１３１−７を区別しない場合、放熱フィン１３１と記載する。放熱フィン１３１は、放熱フィン１３１の厚み方向に沿って並べられ、照明装置１００は、放熱フィン１３１の厚み方向に沿う軸を中心として回動するものとする。照明装置１００においては、基部１２０と放熱部材１３０とは一体に形成され、放熱フィン１３１は、基部１２０の一面１２１の反対面１２２から立設される。また、放熱部材１３０は、放熱フィン１３１間を連結する中央リブ１３２を有する。図１０や図１３に示すように、中央リブ１３２は、放熱フィン１３１の幅方向の中央部を連結するように、放熱フィン１３１の立設方向の全体に亘って形成される。また、図１０や図１２に示すように、中央リブ１３２は、放熱フィン１３１−１から放熱フィン１３１−７まで連続する。
【００４６】
次に、図１４を用いて、照明装置１００の向きを変更した場合における放熱の状態を説明する。図１４は、従来例に係る照明装置の向きと中央リブとの関係を示す図である。図１４に示す照明装置１００−１〜１００−３は、照射方向の向き毎の照明装置１００を示す。なお、照明装置１００−１〜１００−３を区別しない場合、照明装置１００と記載する。図１４に示す照明装置１００は、図１３におけるＣ−Ｃ断面を平面視した場合を示す。具体的には、図１４に示す照明装置１００は、放熱フィン１３１−２において放熱フィン１３１−１に対向する対向面１３１−２１を平面視した場合を示す。
【００４７】
例えば、照明装置１００−１は、照射方向が下向き（直下方向）である場合を示す。以下では、図１４の照明装置１００−１における基部１２０の一面１２１が臨む向きを下とし、照明装置１００−１における基部１２０の反対面１２２が臨む向きを上とする。また、照明装置１００−２は、照射方向が下向きから４５°傾斜した向き（斜め方向）である場合を示す。また、照明装置１００−３は、照射方向が横向き（水平方向）、具体的には左向きである場合を示す。照明装置１００は、照明装置１００−１〜照明装置１００−３における位置を自由に回動可能である。
【００４８】
図１４に示す照明装置１００の放熱部材１３０に重なる点線は、放熱部材１３０における空気の流れを示す。図１４に示す点線は、放熱部材１３０における熱によって暖められた空気が流れる状態を仮想的に示すものである。
【００４９】
例えば、照明装置１００−１においては、光源１１０から基部１２０へ伝達された熱によって暖められた空気は、基部１２０から離れる上向き、すなわち放熱部材１３０の立設方向へ上昇する。また、例えば、照明装置１００−２の中央リブ１３２より上側に位置する部分においては、光源１１０から基部１２０へ伝達された熱によって暖められた空気は、基部１２０から離れる向き、すなわち上方へ上昇する。また、例えば、照明装置１００−２の中央リブ１３２より下側に位置する部分においては、光源１１０から基部１２０へ伝達された熱によって暖められた空気は、中央リブ１３２に沿って、基部１２０から離れる向き、すなわち上方へ上昇する。
【００５０】
しかしながら、照明装置１００−３の中央リブ１３２より下側に位置する部分においては、中央リブ１３２が上側に位置するため、光源１１０から基部１２０へ伝達された熱によって暖められた空気が影響を受けることから、効率的に放熱することが難しい。
【００５１】
一方で、本実施形態に係る照明装置１は、上述したように、照明装置１−１２の状態においては、第１リブ３２ａの放熱効率が低下するものの、その状態（照明装置１−２２の状態）において第２リブ３２ｂの放熱効率が他の照射方向の向きの場合よりも放熱効果が向上する。そのため、照明装置１は、全体として他の照射方向の向きの場合の放熱効果と同等となることにより、向きの変動による放熱への影響を抑制することができる。
【００５２】
また、照明装置１は、照射方向を右向きに変更することも可能であるが、右向きの場合、斜め方向において第１リブ３２ａ間を空気が通りやすくなり、第２リブ３２ｂ間を空気が通りにくくなる。すなわち、上述した照射方向を左向きに変更する場合の例における第１リブ３２ａと第２リブ３２ｂとを読み替えた場合に対応する。
【００５３】
したがって、照明装置１は、例えば、右向きの斜め方向の状態においては、第２リブ３２ｂの放熱効率が低下するものの、その状態において第１リブ３２ａの放熱効率が他の照射方向の向きの場合よりも放熱効果が向上する。そのため、照明装置１は、全体として他の照射方向の向きの場合の放熱効果と同等となることにより、向きの変動による放熱への影響を抑制することができる。
【００５４】
ここで、図８を用いて本実施形態における放熱部材３０の放熱効果と従来例における放熱部材１３０の放熱効果との比較結果を示す。図８は、実施形態と従来例の比較を示す図である。具体的には、図８は、実施形態に係る照明装置１や従来例に係る照明装置１００を照射方向の向き（照射角度）を０°〜９０°まで変更した場合における、光源１０、１１０として用いられるＬＥＤの温度の変化を示す。例えば、照射方向の向き（照射角度）が０°とは、照射方向が下向き（直下方向）である場合に対応し、図６中の照明装置１−１１や図１４中の１００−１に対応する。また、照射方向の向き（照射角度）が４５°とは、照射方向が下向きから４５°傾斜した向き（斜め方向）である場合に対応し、図６中の照明装置１−１２や図１４中の１００−２に対応する。また、照射方向の向き（照射角度）が９０°とは、照射方向が横向き（水平方向）、具体的には左向きである場合に対応し、図６中の照明装置１−１３や図１４中の１００−３に対応する。
【００５５】
図８に示す線ＬＮ１１は、照明装置１における光源１０であるＬＥＤの温度変化を示す。また、図８に示す線ＬＮ１２は、照明装置１００における光源１１０であるＬＥＤの温度変化を示す。図８に示す結果では、照射方向の向き（照射角度）が０°〜４５°位までの範囲では、照明装置１と照明装置１００ともにＬＥＤの温度は１０５℃前後である。一方、照射方向の向き（照射角度）が５０°以上になると、照明装置１００のＬＥＤの温度が上昇し始めるが、照明装置１のＬＥＤの温度は低下し始める。そして、照射方向の向き（照射角度）が９０°においては、照明装置１のＬＥＤの温度は１０２℃前後になり、照明装置１００のＬＥＤの温度は１２３℃前後になる。このように、照射方向の向き（照射角度）が大きくなるにつれて、照明装置１００のＬＥＤの温度は上昇するが、照明装置１のＬＥＤの温度は略均一になる。このように、照明装置１は、従来の照明装置１００に比べて、照射方向の向き（照射角度）の変動による放熱への影響を抑制することができる。
【００５６】
また、上述した照明装置１において、一の放熱フィン３１における第１面に連続するリブ３２（第１リブ３２ａ）と、一の放熱フィン３１における第１面の反対面である第２面に連続するリブ３２（第２リブ３２ｂ）とは、一の放熱フィン３１の平面視において、放熱フィン３１の幅方向の中央を通る立設方向に沿う仮想線を軸とする線対称に設けられる。具体的には、放熱フィン３１−４における第１面に連続するリブ３２（第１リブ３２ａ−２）と、放熱フィン３１−４における第１面の反対面である第２面に連続するリブ３２（第２リブ３２ｂ−２）とは、放熱フィン３１の平面視において、放熱フィン３１の幅方向の中央を通る立設方向に沿う仮想線を軸とする線対称に設けられる。
【００５７】
また、一のリブ３２と、他のリブ３２とは、放熱フィン３１の立設方向に沿う中心線（図示せず）であって、所定の方向（Ｚ軸方向）の両端の放熱フィン３１間の中央及び放熱フィン３１の幅方向の中央を通る中心線に対して線対称に設けられる。例えば、照明装置１において、中心線は、放熱フィン３１−４の厚み方向の中央及び幅方向の中央を通り放熱フィン３１の立設方向に沿って延びる。例えば、放熱部材３０において、第２リブ３２ｂ−１４と、第１リブ３２ａ−３４とは、放熱フィン３１の厚み方向の両端の放熱フィン３１−１、３１−７間の中央及び放熱フィン３１の幅方向の中央を通る中心線に対して線対称に設けられる。
【００５８】
また、対向面の各々に設けられるリブ３２は、一のリブ３２と、一のリブ３２と放熱フィン３１の立設方向の高さが同一であり、かつ、放熱フィン３１の幅方向に直交し、放熱フィン３１の厚み方向の中央を通る断面からの距離が同一である他のリブ３２とを含む。例えば、放熱部材３０において、第１リブ３２ａ−１３と、第１リブ３２ａ−１３と放熱フィン３１の立設方向の高さが同一であり、かつ、放熱フィン３１の幅方向に直交し、放熱フィン３１の厚み方向の中央を通る断面からの距離が同一である第２リブ３２ｂ−３３とを含む。
【００５９】
また、上述した例においては、各対向する放熱フィン３１間に放熱フィン３１の立設方向にリブ３２を一列に並べて設ける場合を示したが、向きの変動による放熱への影響を抑制することができれば、どのような態様で各対向する放熱フィン３１間にリブ３２を設けてもよい。例えば、各対向する放熱フィン３１間に放熱フィン３１の立設方向にリブ３２を複数列に並べて設けてもよい。例えば、各対向する放熱フィン３１間に放熱フィン３１の立設方向にリブ３２を２列に並べて設けてもよい。
【００６０】
例えば、放熱部材３０は、図９に示すような照明装置２に用いられてもよい。図９は、実施形態に係る放熱部材を用いた他の照明装置を示す斜視図である。例えば、図９に示す照明装置２は、いわゆるスポットライトとして用いられる照明装置である。図９に示すように、照明装置２は、筐体２００内に所定の光源部２１０と放熱部材３０とを有してもよい。また、図９の例では、照明装置２は、アーム部材２２０を有する取付機構２３０により回動可能に天井に取り付けられる。なお、上述した照明装置２は一例であり、放熱部材３０は、ダウンライト（ユニバーサル）等の種々の照明装置に用いられてもよい。また、放熱部材３０は、適用可能な装置であれば、どのような装置に適用されてもよい。
【００６１】
また、上記実施の形態により本発明が限定されるものではない。上述した各構成素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００６２】
１      照明装置
１０    光源
２０    基部
３０    放熱部材
３１    放熱フィン
３２ａ  第１リブ
３２ｂ  第２リブ
【図１】
0006437481.tif 000002
【図２】
0006437481.tif 000003
【図３】
0006437481.tif 000004
【図４】
0006437481.tif 000005
【図５】
0006437481.tif 000006
【図６】
0006437481.tif 000007
【図７】
0006437481.tif 000008
【図８】
0006437481.tif 000009
【図９】
0006437481.tif 000010
【図１０】
0006437481.tif 000011
【図１１】
0006437481.tif 000012
【図１２】
0006437481.tif 000013
【図１３】
0006437481.tif 000014
【図１４】
0006437481.tif 000015